(57)【要約】概ね直方体形状を有する筐体（３，３８）に配置された画面（２）を備えるディスプレイ（１，３４）であって、ディスプレイの背面には、モバイル通信及び／又はコンピューティングデバイス（５）を収容する第１収容部（４，３６）が配置され、ディスプレイの背面は、部分的に折り畳み可能な支持体（１２，２４，３１）を少なくとも部分的に収容するように構成された凹状の第２収容部（１１，３５）を備え、折り畳み可能な支持体は、１以上の第１ヒンジ（１４，２７，５２）によってディスプレイに枢動可能に接続される少なくとも１つの第１部分（１３，２５，３２，５０）と、１以上の第２ヒンジ（１６，２８，５６）によって第１部分に枢動可能に接続される少なくとも１つの第２部分（１５，２９，３３，５４）とを備える。本開示は、前記ディスプレイを備えるコンピューティングシステムにも関する。
2019533874.tif 000002
【特許請求の範囲】
【請求項１】
略直方体形状を有する筐体（３, ３８）に配置された画面（２）を備えるディスプレイ（１，３４）であって、
前記画面（２）は、前記ディスプレイ（１，３４）の前面に配置され、
前記筐体（３，３８）は、前記画面（２）に内容を表示するための電気電子デバイスを備え、
前記ディスプレイ（１，３４）の背面には、モバイル通信及び／又はコンピューティングデバイス（５）を収容するための少なくとも１つの第１収容部（４，３６）が配置され、
前記モバイル通信及び／又はコンピューティングデバイス（５）は、前記第１収容部（４，３６）内に少なくとも部分的に配置されることが可能であり、
前記第１収容部（４，３６）は、概ね直方体形状を有する空洞を備え、前記空洞の幅広面は、前記ディスプレイ（１，３４）の前面に対して概ね平行に配置され、
前記ディスプレイ（１，３４）の背面は、折り畳み可能な支持体（１２，２４，３１）を少なくとも部分的に収容するように構成された凹状の第２収容部（１１，３５）を備え、
前記折り畳み可能な支持体（１２，２４，３１）は、
１以上の第１ヒンジ（１４，２７，５２）によって前記ディスプレイ（１，３４）に枢動可能に接続される少なくとも１つの第１部分（１３，２５，３２，５０）と、
１以上の第２ヒンジ（１６，２８，５６）によって前記第１部分（１３，２５，３２，５０）に枢動可能に接続される少なくとも１つの第２部分（１５，２９，３３，５４）と、を備え、
前記折り畳み可能な支持体（１２，２４，３１）は、前記第１部分（１３，２５，３２，５０）及び／又は前記第２部分（１５，２９，３３，５４）を引き出すことによって前記第２収容部（１１，３５）から取り出されることが可能であり、
前記第１部分（１３，２５，３２，５０）及び前記第２部分（１５，２９，３３，５４）は、前記第１ヒンジ及び前記第２ヒンジ（１４，１６，２７，２８，５２，５６）によって前記筐体（３，３８）の縁部に概ね平行な一対の別個の軸を中心として回転するように構成されている、
ディスプレイ（１，３４）。
【請求項２】
前記折り畳み可能な支持体（１２，２４，３１）が複数の選択的な形態を取るように、前記第１部分（１３，２５，３２，５０）が前記ディスプレイ（１，３４）に対して回転可能に接続されるとともに、少なくとも１つの前記第２部分（１５，２９，３３，５４）が前記第１部分（１３，２５，３２，５０）に対して回転可能に接続され、
前記複数の選択的な形態は、
−前記第１部分（１３，２５，３２，５０）及び少なくとも１つの前記第２部分（１５，２９，３３，５４）が少なくとも部分的に前記第２収容部（１１，３５）内に置かれる、コンパクトな形態、
−前記第１部分（１３，２５，３２，５０）が少なくとも部分的に前記第２収容部（１１，３５）内に置かれるとともに、少なくとも１つの前記第２部分（１５，２９，３３，５４）が１以上の前記第２ヒンジ（１６，２８，５６）を中心として回転することによって前記第１部分（１３，２５，３２，５０）に対する開き角を示し、少なくとも１つの前記第２部分（１５，２９，３３，５４）の縁部が載置面に配置される、第１の部分開放形態、
−前記第１部分（１３，２５，３２，５０）及び少なくとも１つの前記第２部分（１５，２９，３３，５４）が、互いに同一平面又は平行であり、且つ、１以上の前記第１ヒンジ（１４，２７，５２）を中心として回転することによって前記ディスプレイ（１，３４）に対して開き角を示し、少なくとも１つの前記第２部分（１５，２９，３３，５４）が前記ディスプレイ（１，３４）の載置面上に置かれて、前記ディスプレイ（１，３４）が前記載置面上に配置される、第２の部分開放形態、
−前記第１部分（１３，２５，３２，５０）が１以上の前記第１ヒンジ（１４，２７，５２）を中心として回転することによって前記ディスプレイ（１，３４）に対して開き角を示し、少なくとも１つの前記第２部分（１５，２９，３３，５４）が１以上の前記第２ヒンジ（１６，２８，５６）を中心として回転することによって前記第１部分（１３，２５，３２，５０）に対して開き角を示し、少なくとも１つの前記第２部分（１５，２９，３３，５４）が前記ディスプレイ（１，３４）の載置面上に置かれて、前記ディスプレイ（１，３４）が前記載置面に対して上昇した位置にある、拡張形態、
を含む、請求項１に記載のディスプレイ（１，３４）。
【請求項３】
前記第１収容部（４，３６）は、前記筐体（３，３８）の長辺部に対して概ね平行な長辺部を有する、請求項１又は２に記載のディスプレイ（１，３４）。
【請求項４】
前記第１ヒンジ（１４，２７，５２）及び／又は前記第２ヒンジ（１６，２８，５６）は、ユーザーが望むように前記折り畳み可能な支持体（１２，２４，３１）の前記第１部分（１３，２５，３２，５０）及び／又は前記第２部分（１５，２９，３３，５４）を移動させることを可能にする機械的及び／又は電気的及び／又は磁気的なブロック機構及び／又はブロック解除機構を備える、請求項１〜３のいずれか１つに記載のディスプレイ（１，３４）。
【請求項５】
前記第２収容部（１１，３５）は、前記ディスプレイ（１，３４）の背面に凹状に設けられ、前記折り畳み可能な支持体（１２，２４，３１）の厚さは、前記第２収容部（１１，３５）の深さに概ね対応する、請求項１〜４のいずれか１つに記載のディスプレイ（１，３４）。
【請求項６】
前記折り畳み可能な支持体（１２，２４，３１）の前記第１部分（１３，２５，３２，５０）及び前記第２部分（１５，２９，３３，５４）は、概ね同じ長方形を有する概ね直方体の扁平な形状を有する、請求項１〜５のいずれか１つに記載のディスプレイ（１，３４）。
【請求項７】
前記第１収容部（４，３６）及び前記第２収容部（１１，３５）の長辺部は、概ね平行である、請求項１〜６のいずれか１つに記載のディスプレイ（１，３４）。
【請求項８】
前記第１収容部（４，３６）は、前記モバイル通信及び／又はコンピューティングデバイス（５）の一面に配置された相補的なコネクタに挿入されるように構成された少なくとも１つのコネクタ（６）を備える、請求項１〜７のいずれか１つに記載のディスプレイ（１，３４）。
【請求項９】
前記第１収容部（４，３６）は、前記ディスプレイ（１，３４）の１つの角部に配置されている、請求項１〜８のいずれか１つに記載のディスプレイ（１，３４）。
【請求項１０】
前記第１収容部（４，３６）の互いに直交する２つ又は３つの面は、少なくとも部分的に開口し、前記モバイルデバイス（５）の互いに直交する２つ又は３つの面は、前記モバイル通信及び／又はコンピューティングデバイス（５）が前記第１収容部（４，３６）に配置されているときに、前記ディスプレイ（１，３４）の外側からアクセス可能である、請求項１〜９のいずれか１つに記載のディスプレイ（１，３４）。
【請求項１１】
前記第１収容部（４，３６）と前記モバイル通信及び／又はコンピューティングデバイス（５）との間に機械的接続を形成し、前記モバイル通信及び／又はコンピューティングデバイス（５）を前記第１収容部（４，３６）内に保持するために、前記第１収容部（４，３６）の少なくとも１つの面には、少なくとも１つの凸部（７）又は凹部を備える、請求項１〜１０のいずれか１つに記載のディスプレイ（１，３４）。
【請求項１２】
前記折り畳み可能な支持体（１２，２４，３１）の第２部分（１５，２９，３３，５４）は、電力貯蔵手段を備え、当該電力貯蔵手段は、前記第１収容部（４，３６）内に配置されるか、或いは、別の方法で前記ディスプレイ（１，３４）に有線によって接続されるときに、前記ディスプレイ（１，３４）及び／又は前記モバイルデバイス（５）に電気を提供するように構成されるとともに、前記第２の部分開放形態及び前記拡張形態において、水平な載置面上で前記ディスプレイ（１，３４）を安定化させるように予め決められた質量を有する、請求項２〜１１のいずれか１つに記載のディスプレイ（１，３４）。
【請求項１３】
前記折り畳み可能な支持体（２４）の第１部分（２５）は、前記第１部分（２５）の少なくとも１つの側辺部に沿って延在し、前記折り畳み可能な支持体（２４）の第２部分（２９）に向けて突出する、少なくとも１つのケーシング（２６）を備え、
前記ケーシング（２６）は、データ及び／又は電気を、前記第２部分（２９）から前記ディスプレイ（１）に、又はその逆に伝送するための導体を備える、
請求項１〜１２のいずれか１つに記載のディスプレイ（１）。
【請求項１４】
前記折り畳み可能な支持体（３１）の前記第１部分（３２）及び／又は前記第２部分（３３）は、前記ディスプレイ（３４）の幅と概ね同じ幅を有する、請求項１〜１３のいずれか１つに記載のディスプレイ（３４）。
【請求項１５】
更に、少なくとも１つのカメラ（８’）を備えるモジュールを有し、
前記カメラは、前記筐体（３，３８）にヒンジ接続された枢動可能な支持体に取り付けられ、前記筐体（３，３８）の外形内に少なくとも部分的に収容される載置位置から、前記ディスプレイ（１，３４）の一面から突出するように回転されるように構成されている、請求項１〜１４のいずれか１つに記載のディスプレイ（１，３４）。
【請求項１６】
機械的接続を提供するように、インターフェースアクセサリデバイスによってデータを交換するように、及び／又は、電力供給アクセサリデバイスによって電気を交換するように構成された、前記筐体（３，３８）の一対の対向する側面の縁部又は端部に接続手段（２０’’）を有する、請求項１〜１５のいずれか１つに記載のディスプレイ（１，３４）。
【請求項１７】
機械的接続を提供するように、インターフェースアクセサリデバイスによってデータを交換するように、及び／又は電力供給アクセサリデバイスによって電気を交換するように構成された、少なくとも１つの前記折り畳み可能な支持体（１２，２４，３１）の前記第２部分（１５，２９，３３，５４）の縁部に接続手段（２０’）を有する、請求項１〜１６のいずれか１つに記載のディスプレイ（１，３４）。
【請求項１８】
請求項１〜１７のいずれか１つに記載のディスプレイ（１，３４）を備える、コンピューティングシステム。
【請求項１９】
更に、前記ディスプレイ（１，３４）に表示される内容をローカルに生成するように構成されるか、或いは、外部のデバイスから前記ディスプレイ（１，３４）に内容を送信するように構成された、モバイル通信及び／又はコンピューティングデバイス（５）を備える、請求項１８に記載のコンピューティングシステム。
【請求項２０】
更に、回転可能なジョイントを有するか、或いは、別個の回転可能なジョイント（１９）に連結されるように構成された、少なくとも１つのキーボード（１８）を備え、
前記回転可能なジョイント（１９）は、前記ディスプレイ（１，３４）の前記折り畳み可能な支持体（１２，２４，３１）の前記第２部分（１５，２９，３３，５４）の自由端に、相補的な接続手段（２０’）と協働するように構成された接続手段（２０）を備えるか、或いは、前記ディスプレイ（１，３４）の前記筐体（３，３８）の一対の対向する側面の縁部又は端部に相補的な接続手段（２０’’）を備える、請求項１８又は請求項１９に記載のコンピューティングシステム。
【請求項２１】
前記回転可能なジョイント（１９）は、前記折り畳み可能な支持体（１２，２４，３１）の前記第２部分（１５，２９，３３，５４）の自由端、及び／又は、前記ディスプレイ（１，３４）の前記筐体（３，３８）の下端部を少なくとも部分的に収容するように構成された少なくとも１つの溝を備える、請求項１８〜２０のいずれか１つに記載のコンピューティングシステム。
【請求項２２】
前記ディスプレイ（１，３４）の前記折り畳み可能な支持体（１２，２４，３１）の前記第２部分（１５，２９，３３，５４）の自由端は、少なくとも１つの凹部（４３）を備え、前記ディスプレイ（１，３４）に前記回転可能なジョイント（１９）が取り付けられたとき、前記凹部（４３）の中に前記回転可能なジョイント（１９）の一部が配置される、請求項２０又は請求項２１に記載のコンピューティングシステム。
【発明の詳細な説明】
【技術分野】
【０００１】
本発明は、コンピューティングシステムの分野に関し、特に、異なるモード及び形態の使用を可能とするために変形させることが可能なモジュール式コンピューティングシステムに関する。
【０００２】
より具体的には、本発明は、請求項１の前文に係るディスプレイ及び前記ディスプレイを備えるコンピューティングシステムに関する。
【背景技術】
【０００３】
既知のモジュール式コンピューティングシステムは、請求項１の前文に係るディスプレイと、このディスプレイの収容部に配置されるように構成されたモバイル通信及び／又はコンピューティングデバイスとを備え、後者は、モバイルデバイスによって制御される内容を、例えば大型画面を備えるデバイスに表示することが可能である。
【０００４】
キーボードは、ディスプレイに取り付けられてもよいが、結果として生じるシステムは、一般的なラップトップよりも快適又は機能的ではない。
【０００５】
米国特許第６８０７０５０号明細書は、ディスプレイの背面に、コンピューティング手段を受け入れるための一体型ドッキングステーションを有する構成が可能なディスプレイを開示している。当該ディスプレイ用の支持体は、ディスプレイの背面に収容されており、前記支持体は、ディスプレイと平行な平面内でスライド可能であり、片手で当該ディスプレイを運搬するためのハンドルとして機能するように構成された第１管状フレームと、予め決められた視野角で支持面又は壁の近くにディスプレイを配置するように構成され、ディスプレイの前述の平面に対して回転可能な第２管状フレームとを有する。結果として生じるシステムは、前記平面に対して傾斜する立て掛け（resting）とは異なる形態に係る、水平な作業面上にディスプレイが配置されることを可能にしない。
【発明の概要】
【発明が解決しようとする課題】
【０００６】
従って、本開示の目的は、従来技術の欠点がないシステムを提供することにある。前記目的は、ディスプレイ及びコンピューティングシステムによって達成され、それらの主な特徴は、本明細書の一体部分である添付の特許請求の範囲に開示されている。
【課題を解決するための手段】
【０００７】
特定の折り畳み支持体のため、及び取り外し可能な手段でモバイル通信及び／又はコンピューティングデバイスを連結する可能性のため、本開示に係るディスプレイは、タブレットとしての自由な持ち運びのための扁平な形態、画面の角度を変更できるように平面上に載置される形態（「スタンド」モードとしても知られる）、前記支持体によって占有される空間の量を減少させるように平面上に載置される更なる形態（「テント」モードとしても知られる）、平面に対する上昇位置での静止の形態（「デスクトップ」モードとしても知られる）のいくつかの動作状態を取ってもよい。また、本開示に係るディスプレイは、平面に置かれる最新世代のノートブック又はラップトップに共通の形態を取るだけでなく、ディスプレイが分離され且つディスプレイがキーボードが載置される面に対して上昇する形態も取るように構成された完全なコンピューティングシステムを構築するために、（無線又は有線の）キーボードに連結されて使用されてもよい。これにより、人間工学を改善するとともに、結果として生じるシステムのユーザビリティを拡張する。当該システムは、ユーザーの要望によってスマートフォン、タブレット、ラップトップコンピュータ、又はデスクトップコンピュータのように使用されることが可能である。
【０００８】
更に、このモジュール式構造のため、システムのコンピューティングのリソースは、ディスプレイに連結され得るモバイルデバイスに集中させることが可能になる。一方、バッテリー及び周辺機器用のインターフェースのようなシステムを強化するように構成されたデバイスは、ディスプレイ、その折り畳み支持体、及び／又はキーボードのようなシステムの他の構成要素の間で分配させること、或いは、モバイルデバイスがディスプレイから取り外されて無線又は有線でそれらが接続されるときに、モバイルデバイスの代わりにディスプレイに連結されることが可能である。
【０００９】
また、結果として生じるシステムは、その構成要素の特定の配置及び分布のため、輸送が容易で且つ比較的安価である。
【００１０】
更に、システムのモジュール式の設計のため、ＣＰＵ、ディスプレイ、メモリなどの高価な構成要素の重複を避け、コストを大きく減少することが可能である。通常、前記重複は、ユーザーが、スマートフォン、タブレット、ラップトップコンピュータ、又はデスクトップコンピュータのような、分離されて単一のコンピューティングシステムを形成しない、いくつかの非モジュール式のデバイスを所有するときに存在する。
【００１１】
上述のシステムで用いられるモバイルデバイスは、ディスプレイに接続するための専用コネクタや、例えば回転可能なカメラ及び／又はシステムの機能を改善するための拡張スロットのようなアクセサリを有する、市場で入手可能なサードパーティのデバイスであってもよい。
【図面の簡単な説明】
【００１２】
更に、本開示に係るコンピューティングシステムの利点及び特徴は、添付の図面を参照しながら、以下の詳細及び非限定的ないくつかの実施形態の説明から当業者にとって明らかになるであろう。
【図１】図１は、コンピューティングシステムの第１実施形態の分解図を示す。
【図２】図２は、キーボードを除く図１のコンピューティングシステム、即ち本明細書に係るディスプレイの背面分解斜視図を示す。
【図３】図３は、図１のコンピューティングシステムの閉鎖的な形態の背面斜視図を示す。
【図４ａ】図４ａは、図１のコンピューティングシステムのディスプレイの折り畳み可能な支持体の第２実施形態の第１変形例の正面斜視図を示す。
【図４ｂ】図４ｂは、図１のコンピューティングシステムのディスプレイの折り畳み可能な支持体の第２実施形態の第２変形例の正面斜視図を示す。
【図４ｃ】図４ｃは、前記折り畳み可能な支持体の第２変形例を備えるコンピューティングシステムのディスプレイの全体斜視図を示す。
【図５】図５は、本明細書に係るコンピューティングシステムのディスプレイの折り畳み可能な支持体の第３実施形態の背面斜視図を示す。
【図６】図６は、図１のコンピューティングシステムのディスプレイの第１の使用形態における正面斜視図を示す。
【図７】図７は、図１のコンピューティングシステムのディスプレイの第２の使用形態における正面斜視図を示す。
【図８】図８は、図１のコンピューティングシステムの第３の使用形態における正面斜視図を示す。
【図９ａ】図９ａは、タブレット状の形態から第３の使用形態へと変化する、図１のコンピューティングシステムの背面斜視図を示す。
【図９ｂ】図９ｂは、タブレット状の形態から第３の使用形態へと変化する、図１のコンピューティングシステムの背面斜視図を示す。
【図１０】図１０は、第３の使用形態における図１のコンピューティングシステムの背面斜視図を示す。
【図１１】図１１は、第４の使用形態における図１の前記システムの正面斜視図を示す。
【図１２】図１２は、第５の使用形態における図１の前記システムの正面斜視図を示す。
【図１３ａ】図１３ａは、本明細書に係る前記コンピューティングシステムのディスプレイの折り畳み可能な支持体の第４実施形態を示す。
【図１３ｂ】図１３ｂは、本明細書に係る前記コンピューティングシステムのディスプレイの折り畳み可能な支持体の第４実施形態を示す。
【図１３ｃ】図１３ｃは、本明細書に係る前記コンピューティングシステムのディスプレイの折り畳み可能な支持体の第４実施形態を示す。
【図１３ｄ】図１３ｄは、本明細書に係る前記コンピューティングシステムのディスプレイの折り畳み可能な支持体の第４実施形態を示す。
【図１３ｅ】図１３ｅは、本明細書に係る前記コンピューティングシステムのディスプレイの折り畳み可能な支持体の第４実施形態を示す。
【図１３ｆ】図１３ｆは、本明細書に係る前記コンピューティングシステムのディスプレイの折り畳み可能な支持体の第４実施形態を示す。
【発明を実施するための形態】
【００１３】
図１及び図２を参照すると、本開示に係るシステムは、例えばフラット画面（例えばＬＥＤ又はＬＣＤタッチ画面）である画面２を備える少なくとも１つのディスプレイ１を有する。画面２は、概ね直方体形状を有する筐体３に配置される。ディスプレイ１の前面及び背面は、上面及び底面よりも幅広であり、同様に側面よりも幅広である。正面から見たときに、ディスプレイ１が概ね長方形の形状を有するのは、最近の好ましい志向により、ディスプレイの底辺が高さよりも大きいためである。ディスプレイ１の１つ又は複数の角部又は端部は、丸みを帯びてもよい。画面２は、ディスプレイ１の前面に配置されている。ディスプレイ１の筐体３は、既知のタイプの電気電子デバイスを備え、これらの装置によって受信した制御信号に従って画面２に内容を表示する。これらの装置は、バッテリー又はインターフェースを備えてもよい。
【００１４】
ディスプレイ１の背面には、例えば概ね直方体の扁平な形状を有するモバイル通信及び／又はコンピューティングデバイス５、具体的には、スマートフォン、ミニＰＣ、タブレット、ドッキングステーションなどを収容する第１収容部４が配置されている。モバイルデバイス５は、第１収容部４内に少なくとも部分的に配置され、ディスプレイ１に着脱自在に連結されることが可能である。第１収容部４は、モバイルデバイス５の一面、例えば底面に配置された相補的なコネクタ（図示せず）に挿入されることが可能なコネクタ６などの接続手段を備える。第１収容部４は、概ね直方体形状を有する空洞のような形状であり、ディスプレイ１の前面と概ね平行に配置された幅広面を有する。本発明を限定することを意図しない好適な実施形態では、第１収容部４の空洞の長辺部とディスプレイ１の長辺部とは概ね平行である。モバイルデバイス５は、例えば、図２に示すように、モバイルデバイス５の前面側を、第１収容部４内に横方向に配置されることが可能である。モバイルデバイス５は、スマートフォンの場合、例えばディスプレイ１に向けた画面を備える。コネクタ６は、第１収容部４の空洞内に突出している。当該空洞部は、ディスプレイ１の１つの上側の角部に配置されることが好ましい。
【００１５】
第１収容部４の互いに直交する２つ又は３つの面は、少なくとも部分的に開口されることが好ましい。これにより、モバイルデバイス５の互いに直交する２つ又は３つの面は、当該デバイスが第１収容部４に配置されるときに、ディスプレイ１及びその筐体３の外側からアクセス可能になる。少なくとも第１収容部４の一面は、少なくとも１つの凸部又は凹部、例えば、第１収容部４の長側面から突出して当該長側面の長手方向の軸に平行なリブ７を備えて、第１収容部４とデバイス５との間の機械的接続を生成するとともに第１収容部４内にモバイルデバイス５を保持してもよい。凸部又は凹部７は、第１収容部４とモバイルデバイス５との間の機械的接続を改善するために、それぞれモバイルデバイス５の一面に形成された、対応する凹部又は凸部と相補的であってもよい。更に、前記機械的接続は、第１収容部４の周囲又はモバイルデバイス５内に配置された磁石（図示せず）によって改善されることが可能である。
【００１６】
モバイルデバイス５は、第１収容部４に配置されたモバイルデバイス５から引き出され、モバイルデバイス５の一面及び／又はディスプレイ１の一面（具体的には上面）から突出するように、回転可能な支持体に取り付けられたカメラ８を備えることが好ましい。
【００１７】
ディスプレイ１は、筐体３にヒンジ接続された枢動可能な支持体を備えることが好ましい。枢動可能な支持体は、少なくとも１つのカメラ８’及び／又は他の光学デバイス（例えば、フラッシュユニット）を備えるモジュールとの接続を提供する。枢動可能な支持体によって、当該支持体に接続されたモジュールは、少なくとも筐体３の外形に包含される部分にある待機位置から、ディスプレイ１の一面（具体的にはディスプレイ１の上面）から突出するように回転されてもよい。カメラがディスプレイの前部に配置され、別のカメラがディスプレイの背面に配置される一般的な従来技術と比較して、採用された解決策は、ディスプレイ１の筐体３と同じ寸法で、より大きな寸法を有する画面２を筐体３内に備えることを可能にする。それにより、タブレット、テント、及びスタンドの形態に必要な携帯性を維持するとともに、画面自体が見る人から大きく離れて配置されるデスクトップの形態におけるサイズの要求をより満足する画面を提供する。
【００１８】
また、コネクタ６は、コネクタ６及び／又はモバイルデバイス５に配置された１以上の磁石によって機械的接続を提供するように、及び／又は、モバイルデバイス５からディスプレイ１（具体的には画面２を制御する筐体３内のデバイス）に電気又はデータ（具体的はビデオデータ及び／又はオーディオデータ）を伝送するように構成されている。前記データは、画面２に表示される内容、及び／又は、筐体３に配置された１以上のスピーカ（図示せず）から出る音に変換されてもよい。更に、異なる種類のデータが、コネクタ６を通じて、モバイルデバイス５からディスプレイ１に、及び／又はその逆に伝送されてもよい。コネクタ６は、図２のような突起部を有してもよいし、或いは、電源／データピンなどを備える異なる形状を有してもよい。前記機械的接続は、互いに対応するモバイルデバイス５の面と第１収容部４の面との間に熱接触を生じさせ得るが、モバイルデバイス５から生成された熱がディスプレイ１にも拡散することで、前記機械的接続は、モバイルデバイス５に対して受動冷却システムを形成する。代替的に又は付加的に、例えば、Ｂｌｕｅｔｏｏｔｈ（登録商標）又はＷｉ−Ｆｉ（登録商標）インターフェースを通じて、モバイルデバイス５とディスプレイ１との間を無線でデータが交換されてもよい。モバイルデバイス５は、ディスプレイ１の制御及び／又はディスプレイ１に接続されたデバイスの制御を可能にするデータを含む１以上のメモリ支持体１０用のスロット９を備えてもよい。
【００１９】
また、ディスプレイ１の背面は、折り畳み可能な支持体１２が少なくとも部分的に配置されることが可能な凹状の第２収容部１１を備える。ディスプレイ１の背面の第１収容部４が水平に向けられている実施形態において、第１収容部４の長辺部は、筐体３の長辺部と平行であり、その結果、ディスプレイ１の背後の利用可能な空間の使用が最適化される。折り畳み可能な支持体１２は、１以上の第１ヒンジ１４（例えば、摩擦ヒンジ）によってディスプレイ１の筐体３に枢動可能に接続される少なくとも１つの第１部分１３を備える。また、折り畳み可能な支持体１２は、１以上の第２ヒンジ１６（例えば、摩擦ヒンジ）によって第１部分１３に枢動可能に接続される少なくとも１つの第２部分１５を備える。折り畳み可能な支持体１２の第１部分１３及び第２部分１５は、概ね同じ長方形を有する概ね直方体の扁平な形状を有し、第２収容部１１内に折り畳まれることが可能であることが好ましい。また、折り畳み可能な支持体１２の厚さは、例えば好適な実施形態では、概ね第２収容部１１の深さに対応する。折り畳み可能な支持体１２は、第１ヒンジ１４及び／又は第２ヒンジ１６によって、横方向に回転、即ちディスプレイ１の縁部（例えば、長縁部の１つ）に対して概ね平行な一対の別個の軸を中心として回転する第１部分１３及び／又は第２部分１５を引き出すことによって、第２収容部１１から取り出されることが可能である。折り畳み可能な支持体１２の第２部分１５は、電力供給手段、具体的には、第２部分１５に固定又は着脱可能な１以上のバッテリーを備える。電力供給手段は、モバイルデバイス５が第１収容部４内に配置されたとき、或いは、モバイルデバイス５が有線でディスプレイ１に接続されたときに、ディスプレイ１及び／又はモバイルデバイス５に電気を提供するため、筐体３及び／又はコネクタ６と電気的に接続される。折り畳み可能な支持体１２の第１部分１３は、データ及び／又は電気を、第２部分１５から筐体３に、及び／又はその逆に伝送するために導電体を備えることが好ましい。比較的重い電力供給手段は、折り畳み可能な支持体１２が第２収容部１１から伸展するときにディスプレイ１を安定化させる。それにより、ディスプレイ１の画面２は、表面に載置される折り畳み可能な支持体１２の第２部分１５から予め決められた距離で垂直に配置されることが可能になる。また、ディスプレイ１の画面２は、第１ヒンジ１４及び／又は第２ヒンジ１６によって前方又は後方に傾斜させることが可能になる。また、折り畳み可能な支持体１２の第２部分１５は、少なくとも１つのソケット１７を備え、当該ソケットに接続されたケーブルを通じてデータ及び／又は電気を送信及び／又は受信してもよい。
【００２０】
折り畳み可能な支持体１２の第１部分１３及び第２部分１５は、折り畳み可能な支持体１２が複数の選択的な形態を取るように移動可能であり、当該複数の選択的な形態は、
−第１部分１３及び第２部分１５が少なくとも部分的に第２収容部１１内に置かれる、コンパクトな形態；
−第１部分１３が少なくとも部分的に第２収容部１１内に置かれるとともに、第２部分１５が第２ヒンジ１６を中心に回転することによって第１部分１３に対する開き角を示し、折り畳み可能な支持体１２の第２部分１５の縁部が載置面に配置される、第１の部分開放形態；
−第１部分１３及び第２部分１５が、互いに同一平面又は平行であり、第１ヒンジ１４を中心に回転することによってディスプレイ１に対する開き角を示し、折り畳み可能な支持体１２の第２部分１５がディスプレイ１の載置面上に置かれて、ディスプレイ１が載置面に上に配置される、第２の部分開放形態；
−第１部分１３が第１ヒンジ１４を中心に回転することによってディスプレイ１に対して開き角を示すとともに、第２部分１５が第２ヒンジ１４を中心として回転することによって第１部分１３に対する開き角を示し、折り畳み可能な支持体１２の第２部分１５がディスプレイ１の載置面上に置かれて、ディスプレイ１が載置面に対して上昇した位置にある、拡張形態、を含む。
【００２１】
第１ヒンジ１４及び／又は第２ヒンジ１６は、ユーザーが望むように折り畳み可能な支持体１２の第１部分１３及び／又は第２部分１５を移動させることを可能にする機械的及び／又は電気的及び／又は磁気的なブロック機構及び／又はブロック解除機構を備えてもよい。これらの機構は、折り畳み可能な支持体１２が取り得る様々な形態の変形を非常に単純化する。例えば、ディスプレイ１が画面２を上向きにして折り畳み可能な支持体１２が載置面にあるコンパクトな形態の場合、第１ヒンジ１４及び第２ヒンジ１６のブロック解除機構は、ディスプレイ１の側面を適切な手段で把持したときに、ディスプレイ１の筐体３を単純に持ち上げることによって開放する構造にすることが可能である。一旦、ディスプレイ１の筐体３が所望の高さまで移動されると、折り畳み可能な支持体１２を所望の位置に留まらせるには、第１ヒンジ１４及び第２ヒンジ１６をブロックすることで十分である。
【００２２】
また、本開示のシステムは、ディスプレイ１の長方形と概ね同一のキーボード１８を備えてもよく、それらは上下に配置され、完全に又は略完全に重ねることが可能である。キーボード１８は、枢動可能なジョイントを備えるか、或いは、少なくとも１つの独立したジョイント１９と連結するように構成され、ジョイント１９は、折り畳み可能な支持体１２の第２部分１５の自由端と連結するように構成されている。当該自由端は、折り畳み可能な支持体１２の第１部分１３に枢動可能に接続される縁部とは反対側である。機械的接続を改善するために、枢動可能なジョイント１９は、折り畳み可能な支持体１２の第２部分１５の自由端を少なくとも部分的に受け入れるとともに、筐体３の下端部を少なくとも部分的に受け入れるように構成された、少なくとも１つの溝を有することが好ましい。枢動可能なジョイント１９は、ディスプレイ１とキーボード１８とが互いに接続されているときに、ディスプレイ１に対するキーボード１８の回転を可能にする。枢動可能なジョイント１９は、１以上の第１コネクタ２０及び１以上の第２コネクタ（図示せず）などの接続手段を備えることが好ましい。当該接続手段は、折り畳み可能な支持体１２の第２部分１５の自由端又は一対の対向する側辺部と協働するように構成され、機械的接続を提供するための相補的なコネクタ２０’を備える。また、接続手段は、コネクタ内に配置された１以上の磁石及び／又は電気的接続によって、それぞれデータ及び／又は電気を、キーボード１８から折り畳み可能な支持体１２の第２部分１５に、及び／又はその逆に伝送し、折り畳み可能な支持体１２からディスプレイ１の筐体３及び／又はコネクタ６に、及び／又はその逆に連続的に転送する。また、キーボード１８は、少なくとも１つの更なるソケット２１を備え、ソケット２１に接続されたケーブルによってディスプレイ１及び／又はモバイルデバイス５及び／又は外部デバイスに電気及び／又はデータを伝送してもよい。また、データは、無線接続を通じてキーボード１８によって伝送又は受信されてもよい。また、モバイルデバイス５は、ディスプレイ１のコネクタ６に接続可能な面とは反対側に配置されたソケット２２を有してもよい。また、ディスプレイ１は、少なくとも１つの更なるソケット２３を備え、ソケット２３に接続されたケーブルによってモバイルデバイス５及び／又はキーボード１８及び／又は外部デバイスに電気又はデータを伝送してもよい。
【００２３】
また、第１コネクタ２０は、筐体３の一対の対向する側面の縁部又は端部にあるコネクタ２０”（図９ｂに示される）によって、ディスプレイ１の筐体３との直接的な機械的接続を形成するように設計される。コネクタ２０”は、インターフェースアクセサリデバイス又は電力供給アクセサリデバイスでデータ及び／又は電気を交換するための機械的接続及び／又は電気的接続を提供するために、相補的な接続収容部を示す。
【００２４】
図３は、回転可能なジョイント１９（図示せず）によって折り畳み可能な支持体１２の第２部分１５に連結されたキーボード１８を示す。当該折り畳み可能な支持体１２は、コンパクトな形態を取り、第２収容部１１内に配置されている。ディスプレイ１は、キーボード１８と折り畳み可能な支持体１２との間に配置され、筐体３と折り畳み可能な支持体１２の第１部分１３と折り畳み可能な支持体１２の第２部分１５とキーボード１８とは、互いに概ね平行となる態様で配置される。モバイルデバイス５は、ディスプレイ１の第１収容部４内に配置されてもよく、筐体３とモバイルデバイス５と折り畳み可能な支持体１２とキーボード１８との組み合わせは、概ね直方体形状を有する。
【００２５】
図４ａは、第１実施形態の折り畳み可能な支持体１２と類似する第２実施形態の折り畳み可能な支持体２４を示す。折り畳み可能な支持体２４の第１部分２５が、第１部分２５の少なくとも１つの側辺部に沿って延在し、折り畳み可能な支持体２４の第２部分２９に向けて突出するケーシング２６を備える。折り畳み可能な支持体２４の第２部分２９は、第１部分２５のケーシング２６を収納するように構成された、少なくとも１つの凹部３０を備える。第１部分２５の複数の縁部に第１ヒンジ２７及び第２ヒンジ２８が配置される場合、ケーシング２６は、それぞれの第１ヒンジ２７からそれぞれの第２ヒンジ２８まで延在する。
【００２６】
ケーシング２６は、データ及び／又は電気を、第２部分２９から筐体３に、及び／又はその逆に伝送するための導体を備える。折り畳み可能な支持体２４が第１部分２５の２つの側辺部のそれぞれにケーシング２６を備える場合、２つのケーシング２６の間にある第１部分２５の部分は、部分的に又は完全に空であってもよい。すなわち、図４ｂに示すように、第１部分２５は、２つのケーシング２６によってのみ形成されてもよい。
【００２７】
図４ｃは、ディスプレイの斜視図を示す。当該ディスプレイは、図４ｂの実施形態に係る折り畳み可能な支持体２４が拡張された形態を取り、載置面に対して上昇した位置にある。
【００２８】
図５は、第１実施形態の折り畳み可能な支持体１２又は第２実施形態の折り畳み可能な支持体２４と類似する第３実施形態の折り畳み可能な支持体３１を示す。折り畳み可能な支持体３１の第１部分３２及び／又は折り畳み可能な支持体３１の第２部分３３は、概ね同じ幅のディスプレイ３４を有する。折り畳み可能な支持体３１の第２収容部３５の一方又は両方の側面は、開放されていてもよい。第１実施形態のディスプレイ１のように、第１収容部３６及び第２収容部３５は、ディスプレイ３４の筐体３８に形成された壁３７によって分割されている。図面では、筐体の外形内に包含される待機位置にあるカメラ８’が視認可能である。
【００２９】
図６は、画面２に対して約３０度の角度を形成するように、ディスプレイ１の筐体３から外側に回転した折り畳み可能な支持体１２の第２部分１５を示す。当該形態において折り畳み可能な支持体１２は、第１の部分開放形態を取る。ディスプレイ１は、画面２が最小の占有スペースで載置面に対して約１０５度の角度を成すように当該載置面上に配置されることが可能である。折り畳み可能な支持体１２の第２部分１５の自由端は、ディスプレイ１を支持する載置面に接触するように、下方且つ後方に向けられている。モバイルデバイス５は第１収容部４に配置され、折り畳み可能な支持体１２の第１部分１３は第２収容部１１内にある。キーボード１８と回転可能なジョイント１９とはディスプレイ１から取り外されているが、キーボード１８は、ディスプレイ１及び／又はモバイルデバイス５とケーブル接続又は無線接続によって通信することが可能なままである。第２部分１５のソケット１７と、モバイルデバイス５のソケット２２と、ディスプレイ１のソケット２３とは、それぞれ、ディスプレイ１の一側面、例えば右側面からアクセス可能である。
【００３０】
折り畳み可能な支持体１２の第１部分１３及び第２部分１５の両方がディスプレイ１の第２収容部１１に配置される場合、ディスプレイ１は、タブレットとして使用されることが可能である。ユーザーの指が画面２の端部に表示される内容を覆うことを防ぐために、ディスプレイ１は狭いベゼル（即ち画面２の拡張部をほとんど覆う）を有し、内容を表示するために使用される画面２の範囲は、拡大縮小されてもよい。この拡大縮小は、以下の条件が同時に確認されたときにディスプレイ１内の制御装置によってトリガー（triggered）される。
−モバイルデバイス５がディスプレイ１の第１収容部４に配置される；
−キーボード１８がディスプレイ１に接続されていない；
−折り畳み可能な支持体１２の第１部分１３及び第２部分１５の両方が第２収容部１１に配置される。
【００３１】
図７は、図６の形態と類似の形態を示す。折り畳み可能な支持体１２の第１部分１３及び第２部分１５の両方は、ディスプレイ１の筐体３に対して約７５度の角度を成すように、ディスプレイ１の筐体３から外側に向かって回転する。この形態では、折り畳み可能な支持体１２が第２の部分開放形態を取り、ディスプレイ１は、画面２が載置面に対して約１０５度の角度を成したままで、図６の形態と比較して安定性を増した状態で当該載置面に配置されることが可能である。折り畳み可能な支持体１２の第２部分１５がディスプレイ１を支持する載置上に置かれるので、支持範囲が増してディスプレイ１の重心が下げられる。
【００３２】
図８は、回転可能なジョイント１９によってキーボード１８がディスプレイ１に接続され、キーボード１８が載置面上に載置され、ディスプレイ１を回転させることが可能であり、画面２が当該載置面に対して約１０５度の角度を成す形態を示す。モバイルデバイス５は第１収容部４に配置され、折り畳み可能な支持体１２の第１部分１３及び第２部分１５の両方は第２収容部１１内に配置される。キーボード１８は、キーセット３９及びタッチパッド４０を有してもよい。システムの全体的な自立性を拡大する目的で、キーボード１８の内側には１以上のバッテリーが配置されてもよい。この場合、キーボード１８内のバッテリーは、折り畳み可能な支持体１２の第２部分１５の内側のバッテリーと比較して異なる種類であることが好ましい。例えば、キーボード１８及び第２部分１５は、それぞれ短期又は長期のピーク電力の供給により適している１以上のバッテリーを備えてもよい。それぞれのタスクについて、モバイルデバイス５のソフトウェアは、特定のタスクにより適したバッテリーから電力を排出させることを選択する。この手法は、コンピューティングシステムの利用可能な電力リソースの利用効率を大きく向上させることが可能である。
【００３３】
モバイルデバイス５のオン／オフスイッチ４１及び音量制御部４２は、モバイルデバイス５がディスプレイ１にドッキングされているときにもユーザーがアクセス可能であるように、ディスプレイ１の上面に及んで（好ましくはディスプレイ１の上面に配列されて）もよい。
【００３４】
図９ａは、タブレット状の形態を示す。モバイルデバイス５は、ディスプレイ１の第１収容部４に配置され、折り畳み可能な支持体１２の第１部分１３及び第２部分１５は、両方ともディスプレイ１の第２収容部１１内に配置される。図８のラップトップ状の形態を取るために、第２部分１５の自由端及び筐体３の下端部は、キーボード１８にヒンジ接続された回転可能なジョイント１９の溝に挿入されることが可能であり、コネクタ２０が第２部分１５の自由端の相補的なコネクタ２０’’に向けて突出する。結果として得られるシステムの安定性を向上させるために、折り畳み可能な支持体１２の第２部分１５の自由端は、少なくとも１つの凹部４３を備え、図１０に示すようにディスプレイ１に取り付けられたときに、回転可能なジョイント１９の一部が凹部４３に配置される。この機械的接続は、回転可能なジョイント１９及び／又は第２部分１５の自由端及び／又は筐体３の下端部に配置された磁石（図示せず）によって更に改善されることが可能である。
【００３５】
図９ｂは、別の実施形態を示す。キーボード１８に連結された枢動可能なジョイント１９は、ディスプレイ１の筐体３の相補的なコネクタ２０’’と直接的に協働する第１コネクタ２０を筐体３の下端部に有する。
【００３６】
図１１は、キーボード１８が、ディスプレイ１に接続されず、第１収容部４に収容されているモバイルデバイス５と無線で通信する形態を示す。モバイルデバイス５のカメラ８又はディスプレイ１のカメラ８’（両方ともオプションであるため、破線で描かれている）は、システムのユーザー側に向けるため、モバイルデバイス５及び／又はディスプレイ１の上面から突出するように外側に回転させられてもよい。折り畳み可能な支持体１２は、その第１部分１３がディスプレイ１に対して約１５０度の角度で回転し、その第２部分１５が第１部分１３と約６０度の角度を成すように伸展する。この構成により、ディスプレイ１の画面２は、第２部分１５に対して概ね垂直で且つ上昇した位置に配置されることが可能であり、第２部分１５は、水平な載置面でディスプレイ１を支持するためのベースとして使用されることが可能である。
【００３７】
図１２は、コンピューティングモバイルデバイス５又は外部コンピューティングモバイルデバイスがディスプレイ１から取り外されているが、例えば第１収容部４に収容され得るドッキングステーション、又はディスプレイ１に一体化された通信手段を通じてディスプレイ１及びキーボード１８と無線で通信する、前述のものに類似する形態を示す。別の実施形態として、ディスプレイ１、モバイルデバイス５、及び／又はキーボード１８は、１以上のケーブルによって互いに接続されてもよい。また、システムは、マウス（図示せず）、及び／又は、ディスプレイ１、モバイルデバイス５、及び／又はキーボード１８に無線又はケーブルによって接続される他の周辺機器を備えてもよい。この形態では、第１収容部４は、ドッキングステーションに係合されていないとき、他の電気的デバイス又は電子的デバイス、例えば補助的な電力貯蔵／供給デバイスと、補助的な接続デバイスとに係合されてもよい。また、第１収容部４は、複数の接続モジュール又は異なる種類のモジュール、データを記憶するためのデバイス又は例えば抜き差し可能なマウスのようなインターフェースデバイスをユーザーが利用可能になるように構成されてもよい。
【００３８】
上述の例において、市場で入手可能な一般的なスマートフォンがディスプレイ１と無線で接続され、ドッキングステーションがモバイルデバイス５の役割を担う。ドッキングステーションは、例えば、無線接続によって要求される帯域幅を減らすために、現在の技術（例えば、ＭＩＲＡＣＡＳＴ（登録商標）及びＡｉｒＰｌａｙ（登録商標））に係る通信プロトコル（例えば、Ｗｉ−Ｆｉ）及び符号化／複合化（例えば、Ｈ．２６４）を実行するように取り決められたハードウェアを装備する。スマートフォン又はミニＰＣのような非類似のモバイルデバイスは、ローカルに（当該デバイス内部に）ディスプレイ１に表示する内容を生成したり、外部のデバイスから（例えば、Ｗｉ-Ｆｉ通信可能範囲を提供するアクセスポイントから）前記システムに（無線で又は有線で）得られた内容を（無線で又は有線で）ディスプレイに伝送したりする。前記ドッキングステーションは、ディスプレイ１の第１収容部４にドッキングすることが不可能な他の外部のデバイス、例えば、市場で入手可能なスマートフォンからディスプレイ１に表示するための内容を収集する。また、モバイルデバイス５がドッキングステーションである場合、外部のデバイスとの無線接続を確立する技術が、システムの他の構成要素を変更することなく簡単にドッキングステーションを置き換えることによって更新されてもよい。
【００３９】
図１３ａから図１３ｆは、本開示に係るコンピューティングシステムのディスプレイ１の折り畳み可能な支持体１２の第４実施形態を示す。この実施形態では、スペーサー４’によって分割された一対の第１収容部４がディスプレイの背面に備えられ、第１のモバイル通信デバイス及び／又はコンピューティングデバイス５（例えばスマートフォン）と、第２のモバイル通信デバイス及び／又はコンピューティングデバイス５（例えばミニＰＣ）、或いは、ドッキングステーション、補助的な電力貯蔵／供給デバイス、補助的な接続デバイス、データを記憶するためのデバイス、又は抜き差し可能なマウスのようなインターフェースデバイスなどの異なる電気的デバイス又は電子的デバイスを同時に収容する。
【００４０】
前記折り畳み可能な支持体は、上述の図面の向きと比較して概ね反転したディスプレイ１の向きで図１３ａ〜図１３ｆに示すように、拡張された形態を取るように展開されてもよい。第１部分５０は、例えば摩擦ヒンジのような少なくとも１つの第１ヒンジ５２を中心として回転することによって略完全に裏返され、ディスプレイ１に対して成す開き角が約１２０度を示し、当該開き角は、垂直方向に対する画面２の傾斜を調節するようにユーザーの選択で調整が可能である。第２部分５４は、例えば摩擦ヒンジのような少なくとも１つの第２ヒンジ５６を中心として回転することによって第１部分５０に対して成す開き角が約６０度を示す。第２部分５４は、ディスプレイ１の載置面に置かれ、ディスプレイ１は当該載置面に対して上昇した位置にある。
【００４１】
添付の特許請求の範囲内で、ここで説明され、図示された実施形態に対して、当業者によって更なる変形又は追加がされてもよい。特に、本開示の更なる実施形態は、本文に記載され又は図面に示された単独で又は任意の相互の組み合わせで用いられる１以上の技術的特徴の追加を伴う、添付の請求項のうちの１つの技術的特徴を有してもよい。
【図１】
2019533874.tif 000003
【図２】
2019533874.tif 000004
【図３】
2019533874.tif 000005
【図４ａ】
2019533874.tif 000006
【図４ｂ】
2019533874.tif 000007
【図４ｃ】
2019533874.tif 000008
【図５】
2019533874.tif 000009
【図６】
2019533874.tif 000010
【図７】
2019533874.tif 000011
【図８】
2019533874.tif 000012
【図９ａ】
2019533874.tif 000013
【図９ｂ】
2019533874.tif 000014
【図１０】
2019533874.tif 000015
【図１１】
2019533874.tif 000016
【図１２】
2019533874.tif 000017
【図１３ａ】
2019533874.tif 000018
【図１３ｂ】
2019533874.tif 000019
【図１３ｃ】
2019533874.tif 000020
【図１３ｄ】
2019533874.tif 000021
【図１３ｅ】
2019533874.tif 000022
【図１３ｆ】
2019533874.tif 000023
【国際調査報告】
2019533874.tif 000024
2019533874.tif 000025
2019533874.tif 000026
2019533874.tif 000027